(57)【特許請求の範囲】
【請求項１】
複数のメモリカードを挿入可能なメモリカード用コネクタであって、
筐体からなり、挿入されるメモリカードに対応した形状に開口する挿入口を複数並設すると共に挿入口内部には空間部を形成し、挿入口側部には挿入されるカードをガイド可能な導入面を斜めに設け、空間部には挿入されるメモリカードの電極と電気的に接続するコンタクトを設け、挿入されるメモリカードと電気的に接続されるコネクタ本体と、
コネクタ本体の挿入口外側に設けられ、挿入されるメモリカードに対応した形状にコネクタ本体の挿入口と対を成して開口するカード挿入口を設け、コネクタ本体の挿入口開口面に沿って複数の挿入口が設置される方向と交差する方向へ移動可能なスライドカバーとからなり、
コネクタ本体に複数設ける挿入口および該挿入口と対を成すカード挿入口とは、スライドカバーがいずれの位置にあっても該挿入口の空間部全面か、あるいは空間部の一部と導入面とがカード挿入口から望めるように、すべての対が位置されて形成され、
何れかのカードを該カードに対応する挿入口に挿入するとカードが導入面に案内されて挿入口内部の所定位置に位置されることでスライドカバーが移動され、カードが挿入された一対のコネクタ本体の空間部とスライドカバーのカード挿入口との中心が一致し、他の対の挿入口及び対向するカード挿入口では挿入口に設ける導入面及び空間部の一部が望めるように相対的にずれた位置となり中心が一致しないことを特徴とするメモリカード用コネクタ。
【発明の詳細な説明】
【０００１】
【発明の属する技術分野】
この発明は、複数種のメモリカードを挿入してメモリカードと信号入出力可能なメモリカード用コネクタに関する。
【０００２】
【従来の技術】
近年、デジタルカメラ等の普及に伴って記憶容量が大きく且つコンパクトな形状からなるメモリカードが用いられるようになった。
メモリカードも、メモリカードを利用する機器の特性等によって、コンパクトフラッシュ（登録商標）カード（以下、コンパクトフラッシュ（登録商標）カードは単にコンパクトフラッシュカードという。）、スマートメディアカード、メモリースティックカード、ＳＤカード等種々のものが用いられるようになった。
これに伴い、これら種々のメモリカードへ書込み／読込みを行う装置として、メモリカードリーダライタが、コンピュータ本体内に、或は、外部機器として用いられている。
【０００３】
そして、メモリカードリーダライタは、当然のことながら、種々のメモリカードに対応しているのが好ましいので、従来のメモリカードリーダライタにおいては、図６に表すように、リーダライタ本体にメモリカード用コネクタ１００を設け、種々のメモリカードを挿入可能とし、挿入されたメモリカードを読み書き可能にしていた。
【０００４】
メモリカードは、コンパクトフラッシュカードＣＦ、スマートメディアカードＳＭ、メモリースティックカードＭＳ、ＳＤカード等種々が存在する。そして、メモリカードリーダライタは、これらメモリカードの全て或はこれらの幾つかに対応可能であった。
より具体的には、図６に表すメモリカード用コネクタ１００には、対応するメモリカードを挿入可能な挿入口１０１が開口されている。この従来例では、コンパクトフラッシュカードＣＦ、スマートメディアカードＳＭ、及び、メモリースティックカードＭＳの３種に対応したものを例に説明する。
【０００５】
メモリカード用コネクタ１００は、各メモリカードが挿入された状態で、各挿入されたメモリカードの端子部と接続可能に接続端子部を有している（図示せず）。そして、メモリカードを挿入することで、メモリカードと読み書き可能に形成される。
メモリカード用コネクタ１００の挿入可能な挿入口１０１は、同図中上から順にコンパクトフラッシュカードＣＦに対応するＣＦ用挿入口１０２、スマートメディアカードＳＭに対応するＳＭ用挿入口１０３、メモリースティックカードＭＳに対応するＭＳ用挿入口１０４が、夫々対応するメモリカードの形状にあわせて開口されている。
【０００６】
このように形成するメモリカード用コネクタ１００は、所望するメモリカード、例えばコンパクトフラッシュカードＣＦをＣＦ用挿入口１０２に挿入してコンパクトフラッシュカードＣＦと情報の読み書きを行っていた。
【０００７】
【発明が解決しようとする課題】
しかしながら、従来のメモリカード用コネクタ１００では、複数の挿入口１０１を開口しているため、複数のメモリカードを同時に挿入することが可能であった。即ち、従来のメモリカード用コネクタ１００では、例えば、ＣＦ用挿入口１０２へコンパクトフラッシュカードＣＦを挿入した状態で、ＳＭ用挿入口１０３へスマートメディアカードＳＭを挿入できてしまったので、複数のメモリカードが同時に挿入されているときは、複数のカード中、最初に挿入されたメモリカード１種のみ（他の１種でも良い）を認識して読み書き可能としなければならない。
【０００８】
そこで、従来のメモリカード用コネクタ１００では、メモリカード用コネクタ１００自身には、使用可能な１種のメモリカードを選択する機能を有しないので、使用可能な１種のメモリカードのみを選択するためには、即ち、優先使用するメモリカードを選択するためには、従来はメモリカードリーダライタを接続するパソコンに予め選択に必要なソフトをインストールしておきメモリカードリーダライタを動作させなければならなかった。そして、パソコンにインストールするためのソフトウェアは当然開発しなければならないので、開発に要する費用、及び、時間等が余計にかかってしまうという問題点を有した。
【０００９】
又、パソコン上ではなく、各挿入口１０２乃至１０４に対応するメモリカードが挿入されたことを電気的に検知して選択するようにメモリカードリーダライタを形成しなければならなかった。そして、メモリカードリーダライタに電気的な選択機能を付加するには、検知選択するための回路設計、及び、部品が不可欠であるという問題点を有した。
【００１０】
そこでこの発明は、これら問題点に鑑み、複数挿入されているメモリカードを選択するソフトウェア、或は、選択するための回路・部品等を特に必要とせずに、複数のメモリカードに対応したメモリカード用コネクタを提供する。
【００１１】
【課題を解決するための手段】
この発明は、
複数のメモリカードを挿入可能なメモリカード用コネクタであって、
筐体からなり、挿入されるメモリカードに対応した形状に開口する挿入口を複数並設すると共に挿入口内部には空間部を形成し、挿入口側部には挿入されるカードをガイド可能な導入面を斜めに設け、空間部には挿入されるメモリカードの電極と電気的に接続するコンタクトを設け、挿入されるメモリカードと電気的に接続されるコネクタ本体と、
コネクタ本体の挿入口外側に設けられ、挿入されるメモリカードに対応した形状にコネクタ本体の挿入口と対を成して開口するカード挿入口を設け、コネクタ本体の挿入口開口面に沿って複数の挿入口が設置される方向と交差する方向へ移動可能なスライドカバーとからなり、
コネクタ本体に複数設ける挿入口および該挿入口と対を成すカード挿入口とは、スライドカバーがいずれの位置にあっても該挿入口の空間部全面か、あるいは空間部の一部と導入面とがカード挿入口から望めるように、すべての対が位置されて形成され、
何れかのカードを該カードに対応する挿入口に挿入するとカードが導入面に案内されて挿入口内部の所定位置に位置されることでスライドカバーが移動され、カードが挿入された一対のコネクタ本体の空間部とスライドカバーのカード挿入口との中心が一致し、他の対の挿入口及び対向するカード挿入口では挿入口に設ける導入面及び空間部の一部が望めるように相対的にずれた位置となり中心が一致しないことを特徴とするメモリカード用コネクタ、
を提供する。
【００１２】
そして、この発明の作用は、以下の通りである。
即ち、所望するメモリカードを、メモリカードに対応したスライドカバーのカード挿入口に挿入する。すると、メモリカードは、スライドカバーを経由して挿入したカード挿入口と対を成すコネクタ本体の挿入口を経由して空間部内に挿入されることとなる。すると、メモリカードはメモリカード用コネクタにセットされ、メモリカード用コネクタでは挿入されたメモリカードの電極と電気的に接続される。
【００１３】
この状態では、メモリカード用コネクタは、メモリカードが挿入された一対の空間部及びカード挿入口の中心が一致しているので、挿入したカード挿入口以外のカード挿入口にメモリカードを挿入しようとしても、他のカード挿入口の中心及び該挿入口に対向する空間部の中心は一致しておらず挿入できない。
【００１４】
【発明の実施の形態】
以下に、この発明の実施の形態を図面に基づき説明する。図１はこの発明の実施の形態であるメモリカード用コネクタを表す下方から見た斜視説明図であり、図２はメモリカードを挿入した状態における同斜視説明図であり、図３はこの発明の実施の形態であるメモリカード用コネクタのコネクタ本体を表す上方斜視説明図であり、図４は同スライドカバーを表す上方斜視説明図であり、図５は同作動状態を表す説明図である。
【００１５】
１は、メモリカード用コネクタである。メモリカード用コネクタ１は、図示しないが、メモリカードを利用する機器、例えば、パソコン、デジタルカメラ等に組み込んでメモリカードとのインターフェースとして、或は、メモリカードを利用するためのメモリカードリーダライタに組み込んで使用するものである。メモリカードは、形状及び機能から、例えば、コンパクトフラッシュカードＣＦ、スマートメディアカードＳＭ、メモリースティックカードＭＳ、ＳＤカード等種々のカードがある。この実施の形態では、メモリカード用コネクタ１は、コンパクトフラッシュカードＣＦ、スマートメディアカードＳＭ、メモリースティックカードＭＳの３種を使用可能なコネクタを例に説明するが、上記３種以外のメモリカードの組合わせでも良く、又、同種のカードを２枚或は３枚利用可能としても良く、更には、異種、同種に拘らず２枚或は４枚等更には前記したメモリカード全種を利用可能に形成しても良い。
【００１６】
メモリカード用コネクタ１は、筐体形状からなりメモリカードがセットされるコネクタ本体２と、コネクタ本体２の前面に摺動自在に取付けるスライドカバー３とからなる。
【００１７】
コネクタ本体２は、図１及び図３に表すように、筐体形状を成すハウジングであり、前面から内部にかけて挿入口２１ａ乃至２１ｃが開口され、内部にメモリカードが挿入される空間部２２ａ乃至２２ｃを穿設してなる。挿入口２１ａは、コンパクトフラッシュカードＣＦ形状よりやや幅広に開口されており、内部の空間部２２ａはコンパクトフラッシュカードＣＦの形状に穿設されており、図５に表すように、コンパクトフラッシュカードＣＦを空間部２２ａに挿入時には、コンパクトフラッシュカードＣＦの電極側が奥となるように挿入される。同様に、空間部２２ｂは、スマートメディアカードＳＭ形状よりやや幅広に開口されており、内部の空間部２２ｂはスマートメディアカードＳＭ形状に穿設されており、スマートメディアカードＳＭ挿入時にはスマートメディアカードＳＭの電極側が奥となるように挿入される。空間部２２ｃも同様に、メモリースティックカードＭＳ形状よりやや幅広に開口され、内部の空間部２２ｃはメモリースティックカードＭＳ形状に穿設されており、メモリースティックカードＭＳ挿入時にはメモリースティックカードＭＳの電極側が奥となるように挿入される。
【００１８】
そして、空間部２２ａ乃至２２ｃは、縦方向に上から空間部２２ａ、空間部２２ｂ、空間部２２ｃの順に、幅方向の中心が一致するように、即ちコネクタ本体２の略中心となるように設けられる。
【００１９】
又、空間部２２ａの挿入口２１ａ側には、空間部２２ａより幅広に設けられている挿入口２１ａの両端部からスロープ状に導入面２３を設ける。このように導入面２３を設けることで、コンパクトフラッシュカードＣＦが空間部２２ａより横方向へややずれた状態で挿入されても導入面２３によって案内されてスムーズに空間部２２ａ内に挿入可能となる。更に、空間部２２ｂの挿入口２１ｂ側には、空間部２２ｂより幅広に設けられている挿入口２１ｂの向かって右側端部からスロープ状に導入面２３を設ける。このように導入面２３を設けることで、スマートメディアカードＳＭが空間部２２ｂより右側横方向へややずれた状態で挿入されても導入面２３によって案内されてスムーズに空間部２２ｂ内に挿入可能となる。同様に、空間部２２ｃの挿入口２１ｃ側には、空間部２２ｃより幅広に設けられている挿入口２１ｃの向かって左側端部からスロープ状に導入面２３を設ける。このように導入面２３を設けることで、メモリースティックカードＭＳが空間部２２ｃより左側横方向へややずれた状態で挿入されても導入面２３によって案内されてスムーズに空間部２２ｃ内に挿入可能となる。
【００２０】
更に、コネクタ本体２には、メモリカードを奥まで挿入したときにメモリカードの電極と電気的に接続するためのコンタクトを各空間部２２ａ乃至２２ｃに奥側に設ける。コンタクト２４は、各メモリカードが奥まで挿入された時点で、各メモリカードの電極と接触し、メモリカード用コネクタ１とメモリカードとを電気的に接続する。
【００２１】
更に、コネクタ本体２には、上面２５の挿入口２１ａ乃至２１ｃ側端部に挿入口２１ａ乃至２１ｃに沿って溝部２６を設け、同様に、下面２７の挿入口２１ａ乃至２１ｃ側端部に挿入口２１ａ乃至２１ｃに沿って溝部２８を設ける。この溝部２６及び２８には、スライドカバー３が嵌合され、スライドカバー３が溝部２６及び２８によって案内されて挿入口２１ａ乃至２１ｃ前面で摺動可能とする。
【００２２】
スライドカバー３は、コネクタ本体２の挿入口２１ａ乃至２１ｃ側面と略同じ表面形状を成す板状からなり、コネクタ本体２の挿入口２１ａ乃至２１ｃ側面に沿って載置される。スライドカバー３には、挿入口２１ａ乃至２１ｃ側面に沿って載置されたときの上端部に、Ｌ字状に形成する摺動係止部３１を設け、同様に、挿入口２１ａ乃至２１ｃ側面に沿って載置されたときの下端部に、Ｌ字状に形成する摺動係止部３２を設ける。スライドカバー３は、摺動係止部３１がコネクタ本体２の溝部２６に挿入され、摺動係止部３２がコネクタ本体２の溝部２８に挿入されることで、コネクタ本体２の前面で摺動可能となる。又、スライドカバー３表面には、カード挿入口３３ａ乃至３３ｃを開口する。カード挿入口３３ａ乃至３３ｃは、上からカード挿入口３３ａ、カード挿入口３３ｂ、カード挿入口３３ｃの順に開口する。
【００２３】
カード挿入口３３ａは、コンパクトフラッシュカードＣＦの断面形状に開口し、同様にカード挿入口３３ｂはスマートメディアカードＳＭの断面形状に、カード挿入口３３ｃはメモリースティックカードＭＳの断面形状に夫々開口される。又、カード挿入口３３ａの開口位置は、図１に表すように、コネクタ本体２の前面中心にスライドカバー３が位置したときに、コネクタ本体２の空間部２２ａと一致するよう穿設し、スライドカバー３が同位置にある時にコンパクトフラッシュカードＣＦを空間部２２ａの奥まで挿入可能な位置となる。
【００２４】
又、カード挿入口３３ｂは、カード挿入口３３ａの中心Ａに対し、カード挿入口３３ｂの中心Ｂが同図中右方向に僅かにずらせた状態で開口する。従って、カード挿入口３３ｂは、カード挿入口３３ａの中心Ａが空間部２２ａの中心と一致した位置、即ち、スライドカバー３がコネクタ本体２前面の中央に位置した位置では、カード挿入口３３ｂの中心Ｂと空間部２２ｂの中心とが一致しておらず、カード挿入口３３ｂが同図中において空間部２２ｂに対して僅かに右にずれた状態なので、スマートメディアカードＳＭを空間部２２ｂの奥まで挿入することはできない位置となる。
更に又、カード挿入口３３ｃは、カード挿入口３３ａの中心Ａに対し、カード挿入口３３ｃの中心Ｃが同図中左方向に僅かにずらせた状態で開口する。従って、カード挿入口３３ｃは、カード挿入口３３ａの中心Ａが空間部２２ａの中心と一致した位置、即ち、スライドカバー３がコネクタ本体２前面の中央に位置した位置では、カード挿入口３３ｃの中心Ｃと空間部２２ｃの中心とが一致しておらず、カード挿入口３３ｃが同図中において空間部２２ｃに対して僅かに右にずれた状態なので、メモリースティックカードＭＳを空間部２２ｃの奥まで挿入することはできない位置となる。
【００２５】
このように、各カード挿入口３３ａ乃至３３ｃを夫々僅かにずらして設けることで、夫々のカード挿入口３３ａ乃至３３ｃが、対を成す空間部２２ａ乃至２２ｃと対応していない位置では、夫々のカード挿入口３３ａ乃至３３ｃに対応したメモリカードを空間部２２ａ乃至２２ｃの奥まで挿入できない状態を作ることができるので、カード挿入口３３ａ乃至３３ｃのどれかにメモリカードが空間部２２ａ乃至２２ｃの奥まで挿入されている状態では、他のカード挿入口３３ａ乃至３３ｃから空間部２２ａ乃至２２ｃに対応するメモリカードを挿入不可能とすることができる。
【００２６】
この実施の形態では、コンパクトフラッシュカードＣＦの中心Ａに対し正面から見て、スマートメディアカードＳＭの中心Ｂを右方向へ１．５ｍｍずらし、メモリースティックカードＭＳの中心Ｃを左方向へ１．５ｍｍずらして設けた。従って、スマートメディアカードＳＭをカード挿入口３３ｂに挿入したときには、コンパクトフラッシュカードＣＦは空間部２２ａの中心よりカード挿入口３３ａが同図正面視左に１．５ｍｍずれた状態となり、メモリースティックカードＭＳは同様に空間部２２ｃの中心より３．０ｍｍずれた状態となるので、挿入口２１ａに設けた導入面２３は１．５ｍｍ以上、挿入口２１ｃに設けた導入面２３は３．０ｍｍ以上設ければ足りる。尚、コネクタ本体２に設けた空間部２２ａ乃至２２ｃは正面視中心を揃えて設けたが、必ずしも揃えて設ける必要はなく、カード挿入口３３ａ乃至３３ｃに対応する挿入口３３ａ乃至３３ｃの中心が夫々偏心した状態に設ければよく、偏心量も、何れかのメモリカードが挿入されたときに他のメモリカードの挿入が夫々の導入面２３によって阻止されるよう設ければ良く、これらの条件を満たせば上記同様の作用が得られる。
【００２７】
次いで、この発明の実施の形態であるメモリカード用コネクタ１の作用を説明する。説明に当っては、コンパクトフラッシュカードＣＦを挿入した場合を例とする。
利用者は、コンパクトフラッシュカードＣＦを、メモリカード用コネクタ１のカード挿入口３３ａへ挿入する。すると、コンパクトフラッシュカードＣＦは、カード挿入口３３ａから挿入口２１ａ内に挿入される。この時、スライドカバー３のカード挿入口３３ａが、空間部２２ａとずれた状態でも、挿入口２１ａと一致している状態であればコンパクトフラッシュカードＣＦを空間部２２ａ奥まで挿入することは可能である。即ち、この状態でコンパクトフラッシュカードＣＦを挿入するとコンパクトフラッシュカードＣＦの角部が挿入口２１ａの端部に設けた導入面２３に当接し、更にコンパクトフラッシュカードＣＦを空間部２２ａ内に挿入させようと押圧することで、導入面２３に沿ってコンパクトフラッシュカードＣＦが挿入されて行くので、スライドカバー３はコネクタ本体２の前面に沿って摺動し、やがてスライドカバー３のカード挿入口３３ａとコネクタ本体２の空間部２２ａとが一致した状態となり、コンパクトフラッシュカードＣＦを空間部２２ａの奥まで挿入できる状態となる。更に、コンパクトフラッシュカードＣＦを挿入することで、コンパクトフラッシュカードＣＦは空間部２２ａの奥まで挿入され、コンパクトフラッシュカードＣＦの電極とコンタクト２４とが接触し電気的に接続されることとなる。
【００２８】
このように、コンパクトフラッシュカードＣＦを空間部２２ａの奥まで挿入すると、スライドカバー３のカード挿入口３３ａとコネクタ本体２の空間部２２ａとが一致した状態となると共に、コンパクトフラッシュカードＣＦによってカード挿入口３３ａ及び空間部２２ａの位置が固定された状態となる。又、カード挿入口３３ａ及び空間部２２ａの位置が一致した状態なので、カード挿入口３３ｂと空間部２２ｂとの位置、及び、カード挿入口３３ｃと空間部２２ｃとの位置は、一致していない状態で固定される。
【００２９】
従って、この状態でスマートメディアカードＳＭをカード挿入口３３ｂから挿入すると、カード挿入口３３ｂを経由して挿入口２１ｂへは挿入されるものの、スマートメディアカードＳＭの角部が挿入口２１ｂの端部から斜めに設けた導入面２３と当接し、スマートメディアカードＳＭをそれ以上空間部２２ｂ内部に挿入することはできない。同様に、メモリースティックカードＭＳをカード挿入口３３ｃから挿入しようとしても、メモリースティックカードＭＳの角部が空間部２２ｃの端部から斜めに設けた導入面２３と当接し、メモリースティックカードＭＳをそれ以上空間部２２ｃ内部に挿入することはできない。
【００３０】
次いで、カード挿入口３３ａ乃至３３ｃにメモリカードが挿入されていない状態で、スマートメディアカードＳＭをカード挿入口３３ｂから挿入する場合を説明する。
スマートメディアカードＳＭをカード挿入口３３ｂから挿入すると、スマートメディアカードＳＭの角部が挿入口２１ｂの端部から斜めに設けた導入面２３と当接する。更にスマートメディアカードＳＭを押圧することで、スマートメディアカードＳＭが導入面２３に沿って奥側へ移動し、この移動に伴いスライドカバー３もコネクタ本体２の前面に沿って摺動する。
【００３１】
更にスマートメディアカードＳＭを挿入すると、やがてカード挿入口３３ｂと空間部２２ｂとが一致し、スマートメディアカードＳＭは空間部２２ｂの奥まで挿入され、スマートメディアカードＳＭの電極と空間部２２ｂ内に設けたコンタクト２４とが接触して電気的に接続された状態となる。
【００３２】
この状態では、カード挿入口３３ｂと空間部２２ｂとが一致し、挿入されたスマートメディアカードＳＭによって相互の位置が固定されるので、カード挿入口３３ａと空間部２２ａ、及び、カード挿入口３３ｃと空間部２２ｃの位置は、相互に一致せず、コンパクトフラッシュカードＣＦ及びメモリースティックカードＭＳは挿入できない状態となる。
【００３３】
更に、メモリースティックカードＭＳをメモリカード用コネクタ１に挿入した場合にも、同様にカード挿入口３３ａと空間部２２ａ、及び、カード挿入口３３ｂと空間部２２ｂの位置は、相互に一致せず、コンパクトフラッシュカードＣＦ及びスマートメディアカードＳＭは挿入できない状態となる。
尚、この実施の形態では、導入面２３は、挿入口２１ａには両端に、挿入口２２ｂ及び２２ｃには夫々一方端にのみ設けたが、挿入口２１ｂ及び２１ｃにも両端に設けても良い。
【００３４】
【発明の効果】
上述のように、この発明によれば、メモリカード用コネクタに１枚のメモリカードが挿入されると、スライドカバーが当該メモリカードをコネクタ本体へ挿入できる位置に移動して固定され、物理的に他の挿入口にはメモリカードを挿入できない状態にでき、少ない部品点数で１枚のメモリカードだけが挿入できる状態とできるので、複数のメモリカードが同時に挿入された場合にメモリカードを選択するソフトウェアが必要なく、又、選択するための回路・部品等を特に必要としない。
【図面の簡単な説明】
【図１】  この発明の実施の形態であるメモリカード用コネクタを表す下方から見た斜視説明図
【図２】  同メモリカードを挿入した状態における同斜視説明図
【図３】  この発明の実施の形態であるメモリカード用コネクタのコネクタ本体を表す上方斜視説明図
【図４】  同スライドカバーを表す上方斜視説明図
【図５】  同作動状態を表す説明図
【図６】  従来例図
【符号の説明】
ＣＦ  コンパクトフラッシュカード
ＳＭ  スマートメディアカード
ＭＳ  メモリースティックカード
１    メモリカード用コネクタ
２    コネクタ本体
２１ａ  ＣＦ用挿入口
２１ｂ  ＳＭ用挿入口
２１ｃ  ＭＳ用挿入口
２２ａ  ＣＦ用空間部
２２ｂ  ＳＭ用空間部
２２ｃ  ＭＳ用空間部
２３    導入面
２４    コンタクト
２５    上面
２６    溝部
２７    下面
２８    溝部
３    スライドカバー
３１    摺動係止部
３２    摺動係止部
３３ａ  ＣＦ用カード挿入口
３３ｂ  ＳＭ用カード挿入口
３３ｃ  ＭＳ用カード挿入口
【図１】
0003796461.tif 000002
【図２】
0003796461.tif 000003
【図３】
0003796461.tif 000004
【図４】
0003796461.tif 000005
【図５】
0003796461.tif 000006
【図６】
0003796461.tif 000007